(57)【要約】【課題】  狭い導体室内における変流器や零相変流器の取付作業を要することなくケーブルなどの敷設作業を可能とし、組立時における作業性を改善したスイッチギヤを提供すること。【解決手段】  三相分の接触端子２１を構成する３本の導体が、絶縁物２３により一体にモールドされており、これら３本の導体のうち少なくとも２本にはそれぞれ変流器２４が装着され、且つ絶縁物２３による所定の絶縁距離を介して収束された３本の導体の収束部外側には零相変流器２５が装着されており、これら変流器２４及び零相変流器２５は、絶縁物２３中に一体にモールドされている。【選択図】図１
2005137147.tif 000002
【特許請求の範囲】
【請求項１】
電気機器を引き出し可能に収容し、この電気機器の背面との対向部に、この電気機器の引き出し方向の移動により、その背面に設けられた一対の三相端子と接離する一対の三相分の接触端子を有するスイッチギヤであって、
前記三相分の接触端子を構成する３本の導体は、絶縁物により一体にモールドされており、これら３本の導体のうち少なくとも２本にはそれぞれ変流器が装着され、且つ前記絶縁物による所定の絶縁距離を介して収束された３本の導体の収束部外側には零相変流器が装着されており、
これら変流器及び零相変流器は、前記絶縁物中に一体にモールドされている
ことを特徴とするスイッチギヤ。
【発明の詳細な説明】
【技術分野】
【０００１】
本発明は、しゃ断器などの電気機器を引き出し可能に収容し、この電気機器の背面との対向部に、この電気機器の引き出し方向の移動により、その背面に設けられた一対の三相端子と接離する一対の三相分の接触端子を有するスイッチギヤに関する。
【背景技術】
【０００２】
一般に、受配電設備における電路開閉用や、高圧負荷に対する電路開閉用として、しゃ断器などの電気機器を筐体内に収容したスイッチギヤが用いられている。このスイッチギヤとしては、収容される電気機器が小型化されたことにより、電気機器を複数段に収容するものが提案されている（例えば、特許文献１参照）。
【０００３】
このようなスイッチギヤでは、通常筐体内の前面側に電気機器を複数段に設置し、この電気機器に接続される導体やケーブルは、筐体内の後面側に形成される導体室内に配設される。上記導体やケーブルは、電気機器の収容段数に比例して多くなる。また、これら導体やケーブルには、電流値計測や保護に使用するための変流器や零相変流器が取り付けられる。
【０００４】
通常変流器はケーブルに接続される導体を一次導体としており、また、零相変流器は、三相分３本のケーブルを収束し、これら３本のケーブルを、零相変流器を構成する環状の鉄心内側に貫通させて取り付けている。このため、変流器の取り付けに当っては、その一次導体とケーブルとの接続作業が必要であり、零相変流器の取り付けに当っては、三相分のケーブルを環状の鉄心内側に貫通させる必要がある。
【０００５】
これらの作業は、筐体内の、多数のケーブルや導体が配設された狭い導体室内にて行わなければならず、極めて作業性が悪かった。
【特許文献１】特開２００１−１７７９２７号公報
【発明の開示】
【発明が解決しようとする課題】
【０００６】
このように筐体内の、多数のケーブルや導体が配設された狭い導体室内において変流器や零相変流器の取り付け作業を行わなければならず、作業性が悪く、改善が望まれていた。
【０００７】
本発明の目的は、狭い導体室内における変流器や零相変流器の取り付け作業を要することなくケーブルなどの配線作業を可能とし、組立時における作業性を改善したスイッチギヤを提供することにある。
【課題を解決するための手段】
【０００８】
本発明のスイッチギヤは、電気機器を引き出し可能に収容し、この電気機器の背面との対向部に、この電気機器の引き出し方向の移動により、その背面に設けられた一対の三相端子と接離する一対の三相分の接触端子を有するスイッチギヤであって、前記三相分の接触端子を構成する３本の導体は、絶縁物により一体にモールドされており、これら３本の導体のうち少なくとも２本にはそれぞれ変流器が装着され、且つ前記絶縁物による所定の絶縁距離を介して収束された３本の導体の収束部外側には零相変流器が装着されており、  これら変流器及び零相変流器は、前記絶縁物中に一体にモールドされていることを特徴とする。
【発明の効果】
【０００９】
本発明によれば、変流器や零相変流器が、電気機器との接続端子を構成する導体に取り付けられ、且つ絶縁物により一体にモールドされているので、スイッチギヤ組み立て時における狭い導体室での取り付け作業が無くなり、作業性が大幅に向上する。
【発明を実施するための最良の形態】
【００１０】
以下、本発明によるスイッチギヤの一実施の形態について図面を参照して詳細に説明する。
【００１１】
図１において、１１は接地金属による筐体で、仕切板１２により前後（図示左右）に仕切られており、その内部前面側（図示左側）には上下２段の機器室１３，１３及びそれらの間に位置する母線室１４がそれぞれ形成されている。また、内部後面側（図示右側）は、導体室１５となっている。
【００１２】
上下２段の機器室１３，１３には、それぞれ側面形状がＬ字形をなす引き出しユニット１６が設けられ、しゃ断器などの電気機器１７を引き出し可能な状態で支持している。この引き出しユニット１６は、電気機器１７を引き出し方向（図示左右方向）に沿って移動可能に支持する水平部と、電気機器１７の背面（図示右面）と対向する垂直部とからなる。
【００１３】
この垂直部には上下一対の端子ユニット１８，１９が設けられている。これら端子ユニット１８，１９は、電気機器１７の引き出し方向の移動により、その背面に設けられた上下一対の三相端子１７ａ，１７ａと接離する三相分の接触端子２１，２２を有する。
【００１４】
このうち、一方の端子ユニット１８は、図２及び図３で示すように、三相分の接触端子２１を構成する３本の導体が、絶縁物２３により一体にモールドされている。また、これら３本の導体のうち少なくとも２本にはそれぞれ変流器２４が装着されている（すなわち、各導体が変流器２４の一次導体となっている）。さらに、三相分の接触端子２１を構成する３本の導体の一部は、絶縁物２３による所定の絶縁距離を介して図示のように収束されており、この３本の導体の収束部外側には零相変流器２５が装着されている（すなわち、３本の導体が、零相変流器２５を構成する環状の鉄心を貫通した状態となっている）。これら変流器２４及び零相変流器２５は、絶縁物２３中に、導体と共に一体にモールドされている。
【００１５】
この端子ユニット１８の三相分の接触端子２１を構成する３本の導体の他端（図示右端）は、導体室１５内に達し、この導体室１５内にてケーブル２７と接続している。
【００１６】
他方の端子ユニット１９は、上述した変流器２４や零相変流器２５を持たず、三相分の接触端子２２を構成する端子は、図示しないがそのまま絶縁物によりモールドされ、その他端（図示右端）は、導体室１５内に達し、母線室１４に設置された三相母線２８と、導体２９を介して接続している。
【００１７】
上記構成において、変流器２４及び零相変流器２５は、接触端子２１を構成する導体と共に絶縁物２３により一体にモールドされ、端子ユニット１８を構成している。そして、この端子ユニット１８を引き出しユニット１６の垂直部に取り付けているので、スイッチギヤ組み立て時に変流器２４や零相変流器２５の取り付け作業が不要となる。特に、狭い導体室１５内において、三相分のケーブルを零相変流器２５の環状鉄心に貫通させる作業がなくなるのでケーブル配線作業が容易になり、作業性が大幅に向上して、作業員に対する負担が大幅に軽減される。
【００１８】
なお、端子ユニット１８において、零相変流器２５を変流器２４より電気機器１７寄りに配置したが、図４で示すようにこの位置関係を反対にしてもかまわない。
【図面の簡単な説明】
【００１９】
【図１】本発明によるスイッチギヤの一実施の形態を示す側面構成図である。
【図２】同上一実施の形態に用いる端子ユニットの平面構成図である。
【図３】同上一実施の形態に用いる端子ユニットの側面構成図である。
【図４】同上一実施の形態に用いる端子ユニットの他の平面構成図である。
【符号の説明】
【００２０】
１７    電気機器
１７ａ，１７ｂ    端子
２１    三相分の接触端子
２３    絶縁物
２４    変流器
２５    零相変流器
【図１】
2005137147.tif 000003
【図２】
2005137147.tif 000004
【図３】
2005137147.tif 000005
【図４】
2005137147.tif 000006